(57)【要約】【課題】複数の非接触型記憶媒体（ＩＣカード）を同時に読取り装置にかざした時に，読取りを拒否されることを防止するために，一枚のカードのみを残して，他のカードへ読取りのための電波が届くことを防止することができる，非接触型記憶媒体の収納容器を提供すること．【解決手段】複数のＩＣカード３および４を収納するためのポケット５および６の間に電磁波遮断シート２を備える．電磁波遮断シートとしては，金属，金属膜，金属系繊維，金属末を練り込んだ膜，金属膜が蒸着された膜の何れか一つから構成される．【選択図】図１
2005128982.tif 000002
【特許請求の範囲】
【請求項１】
複数の非接触型記憶媒体を収納する容器であって，複数の非接触型記憶媒体の間に電磁波遮断シートを備えたことを特徴とする収納容器．
【請求項２】
前記本体が財布，定期券入れ，あるいはこれらの物体に収納することを前提とした袋状の物体であることを特徴とする請求項１記載の非接触型記憶媒体の収納容器．
【請求項３】
前記電磁波遮断シートは，金属，金属膜，金属系繊維，金属末を練り込んだ膜，金属膜が蒸着された膜の何れか一つとなることを特徴とする請求項１または２記載の非接触型記憶媒体の収納容器．
【発明の詳細な説明】
【技術分野】
【０００１】本発明は，複数の非接触型記憶媒体が，読取り装置上で，競合，あるいは干渉しあうことを防止することに関する．
【背景技術】
【０００２】複数の非接触型記憶媒体（以下ＩＣカードと言う）を同時に読取り装置かけた場合に，相互に競合，あるいは干渉することにより情報を正確に読み取れないことがある．また，同一機能を持った，複数のＩＣカードを同時に読み取らせた場合，読取りを拒否する機能を持ったシステムがある．【０００３】今回の発明品のようにＩＣカードを収納することを前提として，電磁波遮断シートを内蔵した発明品がある（例えば，特許文献１を参照）．特許文献１の発明品は，電磁波遮断シートにより，外部からＩＣカードの情報を盗まれることを防止することを目的としたものであって，今回の発明品のように同時に収納したＩＣカード同士の競合，あるいは干渉を防止することを目的としたものではない．このことは，特許文献１の発明品は，電磁波遮断シートが収納容器の外側に設けられているのに対し，今回の発明品は，複数のＩＣカードの中間に挟まるように設置されており，これら両発明品は構造および目的が全く異なっていることは明らかである．【特許文献１】特開２００３−３００５７９
【発明の開示】
【発明が解決しようとする課題】
【０００４】例えば，ＪＲ東日本が実用化している非接触型記憶媒体を使った改札システムでは，同一の機能が３種類のカード，すなわち１）単一機能の改札システム（カードに一定の金額をデポジットし，改札を通るたびに使った乗車賃が差し引かれるシステム），２）単一機能の改札システムにクレジットカード機能を加えたもの，３）単一機能の改札システムに定期券機能を加えたもの（普段は定期券として使うが，乗り越しなどで余分に使った乗車賃をデポジットから差し引く．いずれもＩＣチップに記憶された内容を，改札口の読取り装置により読取ることにより機能する）で使われている．【０００５】これらのカードを，同一の定期券入れ，あるいは財布などの中に入れて，改札口の読取り装置にかけると，「複数のカードが使用されている」旨の表示がなされ，ゲートは閉鎖される．【０００６】この場合，複数のカードを同一の財布などに入れる必要性について，疑問が発生するかもしれないが，新幹線の定期券は数十万円かかることから，クレジットカード機能のあるカードを持ち歩くことは必須で有り，かつそのクレジットカードで購入した定期券を同時に持ち歩くことの必然性は理解いただけるものと思う．
【課題を解決するための手段】
【０００７】ＩＣカードの情報を読取るには，読取り装置から電波を発生し，ＩＣカードから返ってきた電波を装置が読取る構造になっている．そこで，本発明者は，今回の発明品のように，同時に読取り装置にかざす，２枚のカード間に電磁波遮断シートを挟むことにより，読取り装置から遠い方のカードに電波が作用することを防ぎ，一枚のＩＣカードだけが機能するようにした．
【発明の効果】
【０００８】その結果，例えば，非接触型記憶媒体を組込んだクレジットカードと定期券を同時に発明品の定期券入れや財布に入れて使用する場合，通勤時には定期券側を読取り装置にかざすことにより，非接触型記憶媒体を持ったクレジットカードとの競合を防ぐことが可能となり，改札口のゲートは閉まらないこととなった．
【発明を実施するための最良の形態】
【０００９】定期券入れや財布の，複数のカードポケット（図面では符号５および６）の間に電磁波遮断シート（図面では符号２）を，カードに挟まれるように貼り付けたり，縫い付ける．【００１０】単純な袋状の，１枚のＩＣカードを収納することを想定した容器の場合には，片側の外部保護膜に電磁波遮断シートを置いても良い．この場合には，この容器は，財布や定期券入れに入れて使用することを前提とし，電磁波遮断シート側をすでに収納されているＩＣカード側に向けて使用することによってのみ効果を発揮する．【００１１】電磁波遮断シートとしては，金属，金属膜，金属系繊維，金属末を練り込んだ膜，金属膜が蒸着された膜の何れか一つから構成されていることが適当である．
【図面の簡単な説明】
【００１２】
【図１】本発明の第１の実施（財布）の形態の非接触型記憶媒体の収納容器の外観図
【図２】本発明の第２の実施（定期券入れ）形態の非接触型記憶媒体の収納容器の外観図
【図３】図２の断面図
【図４】本発明の第３の実施（単純な袋状の容器）の形態の非接触型記憶媒体の収納容器の外観図
【図５】図４の断面図「図１および２の機構的説明」例えば，図ではカードポケット５および６に，それぞれ非接触型記憶媒体を組込んだ定期券（ＩＣカードＡ−３−）および非接触型記憶媒体を組込んだクレジットカード（ＩＣカードＢ−４−）を入れた場合，定期券を使用する際にはＡカード面を下に向けて改札口の読取り装置にかざすことにより，「複数のカードが使用されています」旨の表示がなされて，ゲートが閉まることは無い．クレジットカードの非接触型記憶媒体にデポジットがされていて，定期券を使用せずに，乗車する場合には，Ｂカード面をかざすことにより，改札口は通過可能となる．「図３の機構的説明」このカードケースに一枚のＩＣカードを挿入し，財布などにケースごと入れる場合には，電磁波遮断シート側（６）を，既に財布などに入っているもう一枚のカードに向けて入れる．財布などの読取り装置にかざす方法などは「図１および２の機構的説明」に同じ．
【図１】
2005128982.tif 000003
【図２】
2005128982.tif 000004
【図３】
2005128982.tif 000005
【図４】
2005128982.tif 000006
【図５】
2005128982.tif 000007
【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
複数の非接触型記憶媒体を収納する容器であって，複数の非接触型記憶媒体の間に電磁波遮断シートおよび隔膜を備えたことを特徴とする収納容器．
【請求項２】
前記本体が財布，定期券入れ，あるいはこれらの物体に収納することを前提とした袋状の物体であることを特徴とする請求項１記載の非接触型記憶媒体の収納容器．
【請求項３】
前記電磁波遮断シートは，金属，金属膜，金属系繊維，金属末を練り込んだ膜，金属膜が蒸着された膜の何れか一つとなることを特徴とする請求項１または２記載の非接触型記憶媒体の収納容器．
【請求項４】
前記隔膜は，紙，皮革，布，木材，非導電性プラスチックなど，電磁波を遮断しない材料で構成されていることを特徴とする請求項１または２記載の非接触型記憶媒体の収納容器．
【手続補正２】
【補正対象書類名】明細書
【補正対象項目名】００１２
【補正方法】変更
【補正の内容】
【００１２】
【図１】本発明の第１の実施（財布）の形態の非接触型記憶媒体の収納容器の外観図
【図２】本発明の第２の実施（定期券入れ）の形態の非接触型記憶媒体の収納容器の外観図
【図３】本発明の第３の実施（単純な袋状の容器）の形態の非接触型記憶媒体の収納容器の外観図
【図４】図２の断面図
【図５】図３の断面図
「図１および２の機構的説明」例えば，図１ではカードポケット３および４に，それぞれ非接触型記憶媒体を組込んだ定期券（ＩＣカードＡ−５）および非接触型記憶媒体を組込んだクレジットカード（ＩＣカードＢ−６）を入れた場合，定期券を使用する際にはＡカード面を，デポジットがされているクレジットカードで乗車する場合にはＢカード面を，改札口の読取り装置にかざすことにより，「複数のカードが使用されています」旨の表示がなされてゲートが閉まることは起こらず，改札口は通過可能となる．尚、ＩＣカードと電磁波遮断シートの間に電磁波を遮断しない隔膜を置くことにより，両者に距離を持たせることが可能となり、カードの情報を読み取り装置が読まない事態を防止する．
「図３の機構的説明」このカードケースに一枚のＩＣカードを挿入し，財布などにケースごと入れる場合には，電磁波遮断シート側（７）を，既に財布などに入っているもう一枚のカードに向けて入れる．財布などの読取り装置にかざす方法，および電磁波遮断シートと隔膜の機能などについては「図１および２の機構的説明」に同じ．
【手続補正３】
【補正対象書類名】図面
【補正対象項目名】全図
【補正方法】変更
【補正の内容】
【図１】
2005128982.tif 000008
【図２】
2005128982.tif 000009
【図３】
2005128982.tif 000010
【図４】
2005128982.tif 000011
【図５】
2005128982.tif 000012
2005128982.tif 000013